(57)【要約】【課題】  電動送風機内蔵の本体部と集塵部とを分離する構造を採用するとともに、清掃作業時における操作性の向上を可能とする、縦型電気掃除機を提供する。【解決手段】  先端部側に吸引口６を有し、後端部側に把手部４を有している。吸引口６には、延長管５が着脱可能に嵌合され、また、この延長管５には、吸込んだ塵埃を空気と分離して集塵する集塵部３が着脱可能に嵌合されている。この延長管５および集塵部３は、管部材を構成する。さらに、集塵部３には、縦型電気掃除機の吸引力を発生させる電動送風機１を内蔵した本体部２が着脱可能に嵌合されている。また、本体部２の後端部側には、把手部４が着脱可能に嵌合されている。【選択図】        図１
2005270312.tif 000002
【特許請求の範囲】
【請求項１】
先端部側に床面その他の被掃除面の塵埃を吸込む吸引口を有し、後端部側に把手部を有する縦型電気掃除機であって、
前記吸引口に対して管部材を介在させ、前記吸引口において吸引力を発生させるための電動送風機を内蔵した本体部と、
前記管部材の一部を構成し、前記本体部と前記吸引口との間に配設されるとともに、前記本体部に対して着脱可能に設けられ、吸込んだ塵埃を空気と分離して集塵する集塵部と、
を備える、縦型電気掃除機。
【請求項２】
前記集塵部と前記本体部との着脱構造は、前記本体部の前記吸引口側にのみ前記集塵部の着脱を可能とする嵌合構造が採用される、請求項１に記載の縦型電気掃除機。
【請求項３】
前記吸込口と前記集塵部との間、および、前記本体部と前記把手部との間において、少なくともいずれかの間においても、相互に着脱可能な嵌合可能構造が採用される、請求項１または２に記載の縦型電気掃除機。
【請求項４】
前記集塵部は、縦長形状の旋回式塵埃分離方式構造を備える、請求項１から３のいずれかに記載の縦型電気掃除機。
【発明の詳細な説明】
【技術分野】
【０００１】
この発明は、縦型電気掃除機に関し、使用目的に合わせた各部品の組合せを選択可能な構成を備える、縦型電気掃除機に関する。
【背景技術】
【０００２】
図１６および図１７に、従来の縦型電気掃除機の概略構成を示す。図１６に示す縦型電気掃除機は、電動送風機１を内蔵した本体部４１の前方に集塵部４２を備え、この集塵部４２の前方に延長管５を備え、その先に塵埃を集塵する際に使用する吸込口６を備えている。上記構成からなる縦型電気掃除機において、操作時には、本体部４１の把手４３を握って掃除することとなる。その際、本体部４１の荷重は、手元側に加わることになる。
【０００３】
次に、図１７に示す縦型電気掃除機は、電動送風機１を内蔵した本体部４４の前方に集塵部４５を備え、この集塵部４５の前方に、吸込口６が備えられている。本体部４４の後報には、最後端部に把手４６を備えた操作管４７が取付けられている。上記構成からなる縦型電気掃除機において、操作時においては、把手４３を握って掃除することとなる。その際、本体部４４の荷重は、吸込口６側に加わることになる。
【０００４】
また、下記の特許文献１に開示される縦型電気掃除においては、本体部が吸込口と把手操作部との間を上下方向に摺動可能に設けられ、図１６および図１７に示す、縦型電気掃除機において、任意の位置に本体部を配設させることを可能とするものである。
【特許文献１】特開平０７−１１６０８６号公報
【発明の開示】
【発明が解決しようとする課題】
【０００５】
図１６に示す縦型電気掃除機においては、本体部の荷重が手元側に集中することで、操作者にとっては重さを感じる場合ある。また、図１７に示す縦型電気掃除機においては、吸込口６側に本体部の荷重が集中するため、吸込口６を軽快に動かすことができない場合がある。
【０００６】
さらに、上記特許文献１に開示される縦型電気掃除機においては、本体部位置の摺動動作により、本体部の位置を変更することはできる。しかし、本体部を摺動させるための支柱部や摺動機構、さらに、本体部に位置固定のためのロック機構が必要となるため、装置構成が複雑となる。
【０００７】
また、上記各縦型電気掃除機においては、電動送風機内蔵の本体部と同一の筐体の一部に集塵部が設けられていることから、集塵部内の集塵袋の交換をすることはできるものの、集塵部から漏れた微細塵が集塵部近傍に付着した場合に、水洗いやその他の手段で、集塵部を完全に清掃することができないという課題も存在する。
【０００８】
したがって、この発明は、上記課題を解決するためになされたものであり、電動送風機内蔵の本体部と集塵部とを分離する構造を採用するとともに、清掃作業時における操作性の向上を可能とする、縦型電気掃除機を提供することにある。
【課題を解決するための手段】
【０００９】
この発明に基づいた、縦型電気掃除機においては、先端部側に床面その他の被掃除面の塵埃を吸込む吸引口を有し、後端部側に把手部を有する縦型電気掃除機であって、上記吸引口に対して管部材を介在させ、上記吸引口において吸引力を発生させるための電動送風機を内蔵した本体部と、上記管部材の一部を構成し、上記本体部と上記吸引口との間に配設されるとともに、上記本体部に対して着脱可能に設けられ、吸込んだ塵埃を空気と分離して集塵する集塵部とを備える。
【００１０】
また、上記縦型電気掃除機において、上記集塵部と上記本体部との着脱構造は、上記本体部の上記吸引口側にのみ上記集塵部の着脱を可能とする嵌合構造が採用される。
【００１１】
また、上記縦型電気掃除機において、上記吸込口と上記集塵部との間、および、上記本体部と上記把手部との間において、少なくともいずれかの間においても、相互に着脱可能な嵌合可構造が採用される。
【００１２】
また、上記縦型電気掃除機において、上記集塵部は、縦長形状の旋回式塵埃分離方式（サイクロン方式）構造を備える。
【発明の効果】
【００１３】
この発明に基づいた、縦型電気掃除機によれば、集塵部は、本体部に対して着脱可能に設けられる構成を備えている。これにより、集塵部から漏れた微細塵が集塵部に付着した場合にも、水洗いやその他の手段で、本体部から集塵部を分離させて、集塵部のみを完全に清掃することが可能になる。また、本体部と集塵部とを離して配置することができるため、荷重の集中を回避し荷重の分散が図られるため、縦型電気掃除機の操作性の向上を図ることが可能になる。
【００１４】
また、本体部の上記吸引口側にのみ集塵部の着脱を可能とする嵌合構造が採用することにより、嵌合誤りを防止することが可能になる。さらに、吸込口と集塵部との間、および、本体部と把手部との間においても、相互に着脱可能な嵌合可能構造を採用した場合には、様々な嵌合パターンが生じるため、このような場合の嵌合誤りを確実に防止することが可能となる。また、様々な嵌合パターンを採用することができる結果、荷重の中心位置を把手部側位置、吸込口側位置、および、両者の中間位置と、操作者の好みに合わせて適宜変更することが可能になる。
【００１５】
また、上記集塵部に、縦長形状の旋回式塵埃分離方式（サイクロン方式）構造を採用することにより、吸込口と本体部との間の管状部材の一部を集塵部として代用することができるため、装置構成を簡略化を図ることが可能になる。
【発明を実施するための最良の形態】
【００１６】
（縦型電気掃除機の全体構成）
以下、本発明に基づいた実施の形態について、図を参照しながら説明する。
【００１７】
まず、図１から図５を参照して、本実施の形態における縦型電気掃除機の構成について説明する。なお、図１は本実施の形態における縦型電気掃除機の第１嵌合パターンを示す全体構成側面図であり、図２は本実施の形態における縦型電気掃除機の第２嵌合パターンを示す全体構成側面図であり、図３は本実施の形態における縦型電気掃除機の第３嵌合パターンを示す全体構成側面図である。また、図４は、図３に示す第３嵌合パターンを一例にした場合の、嵌合領域の連結嵌合部の外径関係を模式的に示す分離図である。また、図５は、図４中のＶで囲まれる領域の部分拡大断面図である。
【００１８】
まず、図１を参照して、本実施の形態における縦型電気掃除機は、先端部側に床面その他の被掃除面の塵埃を吸込む吸引口６を有し、後端部側に把手部４を有している。吸引口６には、延長管５が着脱可能に嵌合され、また、この延長管５には、吸込んだ塵埃を空気と分離して集塵する集塵部３が着脱可能に嵌合されている。この延長管５および集塵部３は、管部材を構成する。さらに、集塵部３には、縦型電気掃除機の吸引力を発生させる電動送風機１を内蔵した本体部２が着脱可能に嵌合されている。また、本体部２の後端部側には、把手部４が着脱可能に嵌合されている。
【００１９】
このように、本体部２、集塵部３、把手部４、延長管５、および、吸引口６を、着脱可能な嵌合構造による連結構造にすることで、図１に示す嵌合状態だけでなく、図２に示すような、吸引口６に集塵部３を勘合し、集塵部３に延長管５を勘合し、延長管５に本体部２を勘合し、本体部２に把手部４を嵌合させる連結構造の採用や、図３に示すような、吸引口６に集塵部３を勘合し、集塵部３に本体部２を勘合し、本体部２に延長管５を勘合し、延長管５に把手部４を嵌合させる連結構造の採用も可能となる。さらに、延長管５を用いない連結構造の採用も可能である。
【００２０】
ここで、図４に示すように、本体部２、集塵部３、把手部４、延長管５、および、吸引口６の嵌合領域には、それぞれ筒状の連結嵌合部２Ａ，２Ｂ，３Ａ，３Ｂ，４Ｂ，５Ａ，５Ｂ，６Ａがそれぞれ設けられているが、連結嵌合部２Ａ，３Ａ，５Ａ，６Ａの外径寸法を、連結嵌合部２Ｂ，３Ｂ，４Ｂ，５Ｂの内部に嵌め入れることができる寸法に設定しておくことで（図５参照）、図１から図３に示す連結構造を容易に実現させることが可能となる。
【００２１】
（連結構造の詳細）
ここで、縦型電気掃除機における集塵部３の連結においては、集塵部３を必ず本体部２の吸引口６側に連結する必要がある。そこで、集塵部３の連結嵌合部３Ａには、本体部２の嵌合（図１、図３の状態）と延長管５の勘合（図２の状態）とを許容し、その他は嵌合できないように、所定の制限を課す必要がある。以下に、この構成について説明する。
【００２２】
まず、本体部２と集塵部３との連結嵌合部の連結状態を許容する構成について、図６から図９を参照して説明する。図６は、本体部２の吸引口６側に集塵部３を連結させた状態を示す図であり、図１に示す場合に相当する。また、図７は、図６の分離状態を示す図である。さらに、図８は、図７中ＶＩＩＩで囲まれた領域の部分拡大図であり、図９は、図７中ＩＸで囲まれた領域の部分拡大図である。
【００２３】
上述したように、集塵部３の連結嵌合部３Ａの外径寸法は、本体部２の連結嵌合部２Ｂの内部に嵌め入れることができる寸法に設定され、さらに、連結嵌合部３Ａの外表面には、突起９が設けられ、連結嵌合部２Ｂには、突起９を受入れるための受入穴１０が設けられている。集塵部３の連結嵌合部３Ａを本体部２の連結嵌合部２Ｂの内部に嵌め入れることにより、突起９が受入穴１０内に嵌り込み、本体部２と集塵部３との連結状態が許容される。
【００２４】
同様に、集塵部３と延長管５との連結嵌合部の連結状態を許容する構成について、図１０から図１３を参照して説明する。図１０は、延長管５の吸引口６側に集塵部３を連結させた状態を示す図であり、図２に示す場合に相当する。また、図１１は、図１０の分離状態を示す図である。さらに、図１２は、図１１中ＸＩＩで囲まれた領域の部分拡大図であり、図１３は、図１１中ＸＩＩＩで囲まれた領域の部分拡大図である。
【００２５】
集塵部３の連結嵌合部３Ａの外径寸法は、延長管５の連結嵌合部５Ｂの内部に嵌め入れることができる寸法に設定され、さらに、連結嵌合部３Ａの外表面には、突起９が設けられ、連結嵌合部５Ｂには、突起９を受入れるための受入穴１２が設けられている。集塵部３の連結嵌合部３Ａを延長管５の連結嵌合部５Ｂの内部に嵌め入れることにより、突起９が受入穴１２内に嵌り込み、本体部２と延長管５との連結状態が許容されることになる。
【００２６】
ここで、把手部４の連結嵌合部４Ｂに集塵部３の連結嵌合部３Ａを嵌め入れようとしても、突起９が邪魔になり、把手部４を直接集塵部３に連結させることはできない。このようにして、集塵部３の連結嵌合部３Ａへの、本体部２の嵌合（図１、図３の状態）と延長管５の勘合（図２の状態）とを許容し、その他は嵌合できないようにすることを可能としている。
【００２７】
以上、集塵部３は、本体部２に対して着脱可能であるため、集塵部３から漏れた微細塵が集塵部３に付着した場合にも、集塵部３を単独で分離させて、水洗い等により集塵部３のみを完全に清掃することが可能になる。また、図１に示す把手部４側への荷重の集中、図２に示す把手部４側と吸引口６側とへの荷重の分散、図３に示す吸引口６側への荷重の集中の３態様を容易に選択することが可能になり、操作者の好みに応じて適宜嵌合パターンを選択することを可能としている。
【００２８】
また、様々な嵌合パターンを可能としながらも、必然的に、集塵部３が本体部２の吸引口６側に連結される構成を採用していることから、嵌合誤りを確実に防止することを可能としている。
【００２９】
（集塵部３の具体的構成）
次に、集塵部３の具体的構成について、図１４および図１５を参照して説明する。なお、図１４は、集塵部３に本体部２が直接連結された状態を示す図であり、図１および図３の嵌合パターンに相当する。また、図１５は、図１４中ＸＶで囲まれた領域の部分拡大断面図である。
【００３０】
本実施の形態における集塵部３には、縦長形状の旋回式塵埃分離方式（サイクロン方式）構造が採用され、延長管５からの流入空気（塵埃含む）は、旋回加速部１３および塵埃分離部１４によって、空気中から塵埃が遠心分離され、空気のみが上方の内筒１５に流入して電動送風機１側に流れる。分離された塵埃１６は、カップ１７の底部に蓄えられる。
【００３１】
このように、集塵部３に縦長形状の旋回式塵埃分離方式構造を採用することにより、吸込口６と本体部２との間の管状部材の一部を集塵部３として代用することができる。これにより、延長管５を短縮化や、延長管５を用いない構成の採用が可能となり、装置構成の簡略化を図ることが可能になる。また、分離された塵埃１６は、カップ１７の底部に蓄えられることから、容易に、塵埃１６の廃棄を行なうことができる。さらに、その構成上から、塵埃１６の量は、空気流れに影響を与えないことから、安定した吸引力を得ることができる。
【００３２】
なお、本実施の形態において集塵部３に旋回式塵埃分離方式構造を採用した場合について説明したが、旋回式塵埃分離方式構造に限定されるものでなく、フィルタ型の集塵構造を採用することも可能である。
【００３３】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３４】
【図１】本実施の形態における縦型電気掃除機の第１嵌合パターンを示す全体構成側面図である。
【図２】本実施の形態における縦型電気掃除機の第２嵌合パターンを示す全体構成側面図である。
【図３】本実施の形態における縦型電気掃除機の第３嵌合パターンを示す全体構成側面図である。
【図４】図３に示す第３嵌合パターンを一例にした場合の、嵌合領域の連結嵌合部の外径関係を模式的に示す分離図である。
【図５】図４中のＶで囲まれる領域の部分拡大断面図である。
【図６】本実施の形態における縦型電気掃除機の本体部の吸引口側に集塵部を連結させた状態を示す図である。
【図７】図６の分離状態を示す図である。
【図８】図７中ＶＩＩＩで囲まれた領域の部分拡大図である。
【図９】図７中ＩＸで囲まれた領域の部分拡大図である。
【図１０】本実施の形態における縦型電気掃除機の延長管の吸引口側に集塵部を連結させた状態を示す図である。
【図１１】図１０の分離状態を示す図である。
【図１２】図１１中ＸＩＩで囲まれた領域の部分拡大図である。
【図１３】図１１中ＸＩＩＩで囲まれた領域の部分拡大図である。
【図１４】本実施の形態における縦型電気掃除機の集塵部に本体部が直接連結された状態を示す図である。
【図１５】図１４中ＸＶで囲まれた領域の部分拡大断面図である。
【図１６】従来の縦型電気掃除機の全体構成を示す第１側面図である。
【図１７】従来の縦型電気掃除機の全体構成を示す第２側面図である。
【符号の説明】
【００３５】
１  電動送風機、２  本体部、２Ａ，２Ｂ，３Ａ，３Ｂ，４Ｂ，５Ａ，５Ｂ，６Ａ  連結嵌合部、３  集塵部、４  把手部、５  延長管、６  吸引口、９  突起、１０，１２  受入穴、１３  旋回加速部、１４  塵埃分離部、１５  内筒、１６  塵埃、１７  カップ。
【図１】
2005270312.tif 000003
【図２】
2005270312.tif 000004
【図３】
2005270312.tif 000005
【図４】
2005270312.tif 000006
【図５】
2005270312.tif 000007
【図６】
2005270312.tif 000008
【図７】
2005270312.tif 000009
【図８】
2005270312.tif 000010
【図９】
2005270312.tif 000011
【図１０】
2005270312.tif 000012
【図１１】
2005270312.tif 000013
【図１２】
2005270312.tif 000014
【図１３】
2005270312.tif 000015
【図１４】
2005270312.tif 000016
【図１５】
2005270312.tif 000017
【図１６】
2005270312.tif 000018
【図１７】
2005270312.tif 000019